(57)【要約】【課題】精密な配列作業の必要なしに、パネル型ラウドスピーカーを提供する。【解決手段】放射パネルと、放射パネルを支持位置決めするフレームと、フレームと放射パネルの底部周辺との間に配置されて柔軟材料からなる懸垂ユニットと、放射パネル下側の特定の場所で放射パネルに結合された音声コイルユニットと磁石ユニットとを有した変換器と、フレームに結合された第１の連結部分と可撓性支持体を介して音声コイルユニットに結合された第２の連結部分と、磁石ユニットに結合された第３の連結部分とを有した連結ユニットとを有してなる。【選択図】図３
0003103081.tif 000002
【実用新案登録請求の範囲】
【請求項１】
放射パネルと、放射パネルを支持位置決めするフレームと、フレームと放射パネルの底部周辺との間に配置されて柔軟材料からなる懸垂ユニットと、放射パネル下側の特定の場所で放射パネルに結合された音声コイルユニットと磁石ユニットとを有した変換器と、フレームに結合された第１の連結部分と可撓性支持体を介して音声コイルユニットに結合された第２の連結部分と、磁石ユニットに結合された第３の連結部分とを有した連結ユニットとを有してなるパネル型ラウドスピーカー。
【請求項２】
特定の場所が放射パネルの中央であることを特徴とする請求項１に記載のラウドスピーカー。
【請求項３】
放射パネルが２個の合成層間にサンドイッチされた中間芯層を具えた積層板であり、中間芯層がバルサ（Ｂａｌｓａ）材（Ｏｃｈｒｏｍａ  ｓｐｐ．）から形成されており、合成層がガラス繊維補強ポリマー樹脂、炭素繊維補強ポリマー樹脂、ケブラー（Ｋｅｖｌａｒ）繊維補強ポリマー樹脂およびボロン繊維補強ポリマー樹脂からなる群から選ばれた材料から形成されていることを特徴とする請求項１に記載のラウドスピーカー。
【請求項４】
第１の連結部分が２個のフックを有しており、フレームが２個のフックに対応する２個のスロットを有していてそれぞれが２個のフックと係合することを特徴とする請求項１に記載のラウドスピーカー。
【請求項５】
第２の連結部分がリング形状の突起を有しており、第３の連結部分が円周上にギャップを具えたシリンダーを有していることを特徴とする請求項１に記載のラウドスピーカー。
【請求項６】
磁石ユニットが上板と、第３の連結部分のシリンダーの内壁により包絡されたパーミアンスユニットと、パーミアンスユニット内に配置されてかつ上板とパーミアンスユニットに結合された上面と下面とを具えた永久磁石とを有しており、パーミアンスユニットがバインダーにより第３の連結部分に結合されていることを特徴とする請求項５に記載のラウドスピーカー。
【請求項７】
第２の連結部分近傍に少なくとも１個のエネルギー減衰孔があることを特徴とする請求項１に記載のラウドスピーカー。
【請求項８】
懸垂ユニットが一体構造の柔軟帯であって、かつそれぞれ放射パネルとフレームに結合された第１の部分と第２の部分と第１と第２の部分間に隆起部分を有していることを特徴とする請求項１に記載のラウドスピーカー。
【請求項９】
放射パネルと、放射パネルを支持位置決めするフレームと、フレームと放射パネルの底部周辺との間に配置された一体構造柔軟帯である懸垂ユニットと、放射パネル下側の特定場所で放射パネルに結合された音声コイルユニットと磁石ユニットとを有した変換器と、フレームに結合された第１の連結部分と可撓性支持体を介して音声コイルユニットに結合された第２の連結部分と磁石ユニットに結合された第３の連結部分とを具えた連結ユニットとを有してなるパネル型ラウドスピーカー。
【請求項１０】
放射パネルと、放射パネルを支持位置決めするフレームと、フレームと放射パネルの底部周辺との間に配置されて一体構造の柔軟帯でありかつそれぞれ放射パネルとフレームとに結合された第１の部分と第２の部分と第１と第２の部分間の隆起部分を具えた懸垂ユニットと、放射パネル下側の特定の場所で放射パネルに結合された音声コイルユニットと磁石ユニットとを具えた変換器と、フレームに結合された第１の連結部分と可撓性支持体を介して音声コイルユニットに結合された第２の連結部分と磁石ユニットに結合された第３の連結部分とを具えた連結ユニットとを有してなるパネル型ラウドスピーカー。
【考案の詳細な説明】
【技術分野】
【０００１】
この考案はパネル型ラウドスピーカーに関するものであり、より詳しくはピストン状運動により音を放射するピストンタイプパネル型ラウドスピーカーに関するものである。
【背景技術】
【０００２】
従来のラウドスピーカーでは円形の電磁変換器でコーン状の薄膜を駆動して音を放射している。一般に音放射を促進するためには追加の包絡体が必要であり、その故にラウドスピーカーが扱い難くなり重くしかも音放射に死角が出てくる。最近ノートブック、携帯電話およびパーソナルデジタルアシスタント（ＰＤＡ）などのような平坦表示移動通信装置がミニチュア化に向けて急速に開発されている。透明なパネル型ラウドスピーカーと平坦表示移動通信装置との集積はそのような装置の機能を大きく高めるものである。したがって従来型のラウドスピーカーは徐々にパネル型ラウドスピーカーにより取って代わられている。
【０００３】
図１（ａ）、（ｂ）は従来のパネル型ラウドスピ−カーの平面・断面図である。このスピーカーは放射パネルを励起して屈曲振動を起こさせることにより音を放射するものである。該スピーカー１はフレーム１１、放射パネル１２、電磁変換器１３および懸垂ユニット１４を有している。フレーム１１は方形であってその中央に凹部を有しており、その断面は実質的にＬ形状である。
【０００４】
Ｌ形状断面の水平・垂直部分を爾後底部および周辺部分と呼ぶことにする。懸垂ユニット１４はフレーム１１の底部に取付け支持されている。放射パネル１２はフレーム１１の周辺部分により位置決めされている。懸垂ユニット１４は複数の個別の帯を有している。これらの帯はゴム含浸帯、泡状連続帯および波形シェル帯などから選ばれる。
【０００５】
変換器１３は放射パネル１２の底面に取り付けられていて、磁石ユニットと音声コイルユニットとを有している。磁石ユニットはディスク状の上板１３１、シリンダー状の永久磁石１３２およびパーミアンスユニット１３３を有しており、これらの間のギャップに磁界が発生される。音声コイルユニットは接触シート１３４とコイル１３５とを有している。
【０００６】
かくしてコイル１３５に電流が流れると、音声コイルユニットが磁界と直交する方向の運動を発生し、放射パネル１２を励起して屈曲振動を発生して音を放射する。柔軟支持体１３６が用いられて、音声コイルユニットを上板１３１、永久磁石１３２およびパーミアンスユニット１３３間で磁界中に埋込み固定させる。一般に柔軟支持体１２はまたダンパーとして機能して、放射パネルの好ましくない振動を抑制する。
【考案の開示】
【考案が解決しようとする課題】
【０００７】
通常、変換器１３は放射パネルの特定の場所に配列されて有効な振動を発生する。柔軟支持体１３６の配列により放射パネルの剛性増加が促進されるので、ある種の望ましくない効果が起きる。例えば可聴周波数帯域上の音圧スペクトルに比較的高い初期応答周波数および顕著な変動が見られる。加えて入力電力が増大されると、圧力応答と電力との間により顕著な非線型関係が存在するようになる。
【０００８】
図１（ｂ）参照。周知のように、柔軟支持体１３６の面積が大きいので上記したような問題は克服される。しかし面積が大きくなると、柔軟支持体１３６はパーミアンスユニット１３３に結合されているので、パーミアンスユニット１３３も大きくする必要がある。これが原因となって、コスト、磁気損失および変換器全体の体積が不可避的に増大する。
【０００９】
以下に上記したようなスピーカーの組立てプロセスを略記する。まず懸垂ユニット１４の帯がフレーム１１の底部に取付けられる。ついで変換器１３が放射パネル１２の底面の特定な場所に取り付けられる。爾後放射パネル１２が懸垂ユニット１４に取り付けられてスピーカーの組立てが完成する。
【００１０】
このプロセスには若干の問題がある。例えば多数の帯が用いられた場合には時間が掛かる。指定された場所から外れる帯もあり、製品の均一性が損なわれる。加えて変換器１３を放射パネル１２の底面に取り付ける作業は機械的に行って特定な場所の精密な配列を達成するようにしなければならない。精密配列に伴うコストは放射パネルのサイズが変わると増加する。
【００１１】
この考案の目的は、精密な配列作業の必要なしに、パネル型ラウドスピーカーを提供することにある。
【課題を解決するための手段】
【００１２】
この考案のラウドスピーカーは放射パネルと、フレームと、懸垂ユニットと変換器と連結ユニットを有してなるものである。フレームは放射パネルを支持位置決めするのに用いられる。懸垂ユニットはフレームと放射パネルの底部周辺間に配置されてかつ柔軟材料から形成されている。変換器は音声コイルユニットと磁石ユニットとを有している。音声コイルユニットは放射パネル下側の特定な場所に結合される。連結ユニットはフレームに結合された第１の連結部分と、柔軟支持体を介して音声コイルユニットに結合された第２の連結部分と、磁石ユニットに結合された第３の連結部分とを有している。
【００１３】
一実施例においては、特定の場所は放射パネルの中央である。
【００１４】
一実施例においては、放射パネルは積層板であって、該積層板は２個の合成層間にサンドイッチされた中間芯層を有している。
【００１５】
一実施例においては、上記中間芯層はバルサ（Ｂａｌｓａ）材（Ｏｃｈｒｏｍａ  ｓｐｐ．）から形成されており、合成層はガラス繊維補強ポリマー樹脂、炭素繊維補強ポリマー樹脂、ケブラー（Ｋｅｖｌａｒ）繊維補強ポリマー樹脂およびボロン繊維補強ポリマー樹脂からなる群から選ばれる。
【００１６】
一実施例においては、第１の連結部分は２個のフックを有している。フレームは該フックに対応する２個のスロットを有していて、２個のフックと係合する。
【００１７】
一実施例においては、第２の連結部分がリング状の突起を有している。
【００１８】
一実施例においては、第３の連結部分が円周上にギャップを具えたシリンダーを有している。
【００１９】
一実施例においては、磁石ユニットが上板、パーミアンスユニットおよび永久磁石を有している。パーミアンスユニットは第３の連結部分のシリンダーの内壁により包絡されている。永久磁石はパーミアンスユニット内に配置されていて、それぞれ上板とパーミアンスユニットに結合された上下面を有している。
【００２０】
一実施例においては、パーミアンスユニットが第３の連結部分にバインダーにより結合されている。
【００２１】
一実施例においては、第２の連結部分が第２の連結部分近傍に少なくとも１個のエネルギー減衰孔を有している。
【００２２】
懸垂ユニットは一体構造の柔軟帯であるのが望ましい。
【００２３】
一実施例においては、懸垂ユニットがそれぞれ放射パネルとフレームに結合された第１と第２の部分を有している。
【００２４】
一実施例においては、懸垂ユニットがさらに第１と第２の部分間に隆起部分を有している。
【００２５】
さらにこの考案のパネル型ラウドスピーカーは放射パネルと、フレームと、懸垂ユニットと変換器と連結ユニットとを有している。フレームは放射パネルを支持位置決めするのに用いられる。懸垂ユニットはフレームと放射パネルの底部周辺との間に配置された一体構造の柔軟帯である。変換器は音声コイルユニットと磁石ユニットとを有している。音声コイルユニットは放射パネルの下側特定の場所に結合されている。連結ユニットはフレームに結合された第１の連結部分と可撓性支持体を介して音声コイルユニットに結合された第２の連結部分と磁石ユニットに結合された第３の連結部分とを有している。
【００２６】
さらにこの考案のパネル型ラウドスピーカーは放射パネルと、フレームと、懸垂ユニットと変換器と連結ユニットとを有している。フレームは放射パネルを支持位置決めするのに用いられる。懸垂ユニットはフレームと放射パネルの底部周辺との間に配置されている。懸垂ユニットは一体構造の柔軟帯であって、それぞれ放射パネルとフレームとに結合された第１と第２の部分と両部分間の隆起部分とを有している。変換器は音声コイルユニットと磁石ユニットとを有している。音声コイルユニットは放射パネルの下側に特定な場所で結合されている。連結ユニットはフレームに結合された第１の連結部分と可撓性支持体を介して音声コイルユニットに結合された第２の連結部分と磁石ユニットに結合された第３の部分とを有している。
【考案を実施するための最良の形態】
【００２７】
図２、３にこの考案の一実施例における、フレーム２１、放射パネル２２および懸垂ユニット２３の組立てプロセスが示されている。
【００２８】
フレーム２１は射出成形プロセスにより一体形成される。該フレーム２１は支持部２１１と長手方向中央において互いに対面する２個のスロット２１２を有している。
【００２９】
この考案において使用される放射パネル２２は図４に示すように２個の合成層２２２間にサンドイッチされた中間芯層２２１を有した積層板である。中間芯層２２１は例えばバルサ（Ｂａｌｓａ）材（Ｏｃｈｒｏｍａ  ｓｐｐ．）から形成されている。
【００３０】
合成層２２２はガラス繊維補強ポリマー樹脂、炭素繊維補強ポリマー樹脂、ケブラー（Ｋｅｖｌａｒ）繊維補強ポリマー樹脂またはボロン繊維補強ポリマー樹脂から形成できる。放射パネル２２として使用されるこの積層板は軽量で剛性が大きく、剛体運動により有効帯域内の音圧を生じることができる。
【００３１】
図３に示すように、懸垂ユニット２３は実質的に一体構造の柔軟帯であって、第１の部分２３１、第２の部分２３２および両部分の間の隆起部分２３３とを有している。第１の部分２３１と第２の部分２３２とは放射パネル２２とフレーム２１とにそれぞれ結合されている。隆起部分２３３は放射パネル２２の増加された反応を促進するものである。
【００３２】
以下にフレーム２１、放射パネル２２、懸垂ユニット２３の組立てプロセスを説明する。まず放射パネル２２の底部周辺が懸垂ユニット２３の第１の部分２３１に取り付けられる。ついで懸垂ユニット２３の第２の部分２３２がフレーム２１の支持部２１１に取り付けられる。この間フレーム／懸垂ユニット／放射パネル組立体２が図５に示すように完成される。懸垂ユニット２３は一体構造の柔軟帯であるので、該帯をフレーム２１に取り付ける時間および／または放射パネル２２に帯を取り付ける時間は従来技術に比べて比較的短いものとなる。
【００３３】
さらなる実施例においては、可撓性支持体、音声コイルユニットおよび磁石ユニットの組立てプロセスを提供するものである。連結ユニット３１には特殊な設計が施されてこの目的が達成される。図６（ａ）、（ｂ）において、連結ユニット３１は第１の連結部分３１１、第２の連結部分３１２および第３の連結部分３１３を有している。第１の連結部分３１１はフレーム２１のスロット２１１（図３に示す）にそれぞれ対応する耳３１０の周辺に２個のフックを有している。
【００３４】
連結ユニット３１の第２の連結部分３１２は実質的にリング形状の突起である。第３の連結部分３１３は実質的に円周にギャップを具えたシリンダーである。加えて放射パネルはピストンタイプの運動により振動される。該パネルの後側から送出される音波はパネルに取り付けられた変換器により画定される空間に累積される。これら音波の運動は空圧バネの運動に似ており、音圧スペクトルを起こして、増加する共鳴周波数の故に右方に移行する。音圧スペクトルの移行を防止すべく、少なくとも１個のエネルギー減衰孔３１４が第２の連結部分３１２の近傍に位置している。
【００３５】
連結ユニット３１による可撓性支持体３２、音声コイルユニット３３および磁石ユニット３４の組立てプロセスを図７（ａ）〜（ｃ）に示す。図７（ａ）において、音声コイルユニット３３は連結ユニット３１の中央孔３１５を貫通している。ついで支持体３２の内側周辺と第２の連結部分３１２とがバインダーで被覆される。爾後図７（ｂ）に示すように、上板３４１、永久磁石３４２およびパーミアンスユニット３４３を具えた磁石ユニット３４が第３の連結部分３１３のシリンダー内壁により包絡されて、初期位置決め効果が与えられる。爾後図７（ｃ）に示すように、バインダー３５が第３の連結部分３１３のシリンダー外壁とパーミアンスユニット３４３との間に施与される。かくして可撓性支持体／音声コイルユニット／磁石ユニット組立体３が完成される。
【００３６】
フレーム／懸垂ユニット／放射パネル組立体２と可撓性支持体／音声コイルユニット／磁石ユニット組立体３が個別に組み立てられた後、バインダーがコイルユニット３３の上縁部３３０に施与される。連結ユニット３１のフック３１１がフレーム２１のスロット２１１と係合すると、コイルユニット３３の上縁部３３０が放射パネル２２の底面に取り付けられて、この考案のパネル型ラウドスピーカーが完成する。
【００３７】
支持体３２および磁石ユニット３４のサイズに応じて、各連結部分と連結ユニット３１の中央との間の距離は必要に応じて変化できる。例えば比較的高い初期応答周波数と従来技術における顕著な変動の不利を克服すべく変動の大きな面積を有した可撓性支持体３２が要求される場合には、第２の連結部分３１２を外側に延長できる。小さな磁石ユニット３４が必要とされる場合には、第３の連結部分３１３のシリンダーの内径を小さくしなければならない。大きな連結ユニット３１が使われる場合には、連結ユニット３１の第１の連結部分３１１を両耳に向けて延長しなければならない。さらに連結ユニット３１のフック３１１およびフレーム２１のスロット２１１を拡大すると従来技術における精密な配列に起因するコストを低減できる。
【００３８】
この考案は以上記載の範囲に限定されるものではなく、種々の変更が可能である。
【図面の簡単な説明】
【００３９】
【図１ａ】従来技術のパネル型ラウドスピーカーの平面図である。
【図１ｂ】同じく断面図である。
【図２】この考案のパネル型ラウドスピーカーの一実施例の平面図である。
【図３】この考案のフレーム／懸垂ユニット／放射パネル組立体の分解斜視図である。
【図４】放射パネルの断面図である。
【図５】可撓性支持体／音声コイルユニット／磁石ユニット組立体の斜視図である。
【図６ａ】連結ユニットの前面図である。
【図６ｂ】同じく後面図である。
【図７ａ】この考案のパネル型ラウドスピーカー組立てプロセスを示す図である。
【図７ｂ】この考案のパネル型ラウドスピーカー組立てプロセスを示す図である。
【図７ｃ】この考案のパネル型ラウドスピーカー組立てプロセスを示す図である。
【図８】この考案のフレーム／懸垂ユニット／放射パネル組立体および可撓性支持体／音声コイルユニット／磁石ユニット組立体の組立てプロセスを示す斜視図である。
【符号の説明】
【００４０】
２：  組立体
３：  組立体
２１：フレーム
２２：放射パネル
２３：懸垂ユニット
３１：連結ユニット
３２：可撓性支持体
３３：コイルユニット
３４：磁石ユニット
３５：バインダー
【図１ａ】
0003103081.tif 000003
【図１ｂ】
0003103081.tif 000004
【図２】
0003103081.tif 000005
【図３】
0003103081.tif 000006
【図４】
0003103081.tif 000007
【図５】
0003103081.tif 000008
【図６ａ】
0003103081.tif 000009
【図６ｂ】
0003103081.tif 000010
【図７ａ】
0003103081.tif 000011
【図７ｂ】
0003103081.tif 000012
【図７ｃ】
0003103081.tif 000013
【図８】
0003103081.tif 000014